(57)【特許請求の範囲】
【請求項１】
具入り麺食品を調理するための調理システムにおいて、
鍋で具と麺とを加熱調理するための加熱調理装置と、具を炒めるための炒め装置と、鍋を洗浄するための鍋洗浄装置とを有し、
前記加熱調理装置は、複数台の加熱器の加熱面を並設して形成した加熱レーンを有するとともに、前記加熱レーンの始端と終端にそれぞれ加熱器の無い台が並設され、前記加熱レーン上で鍋を順にスライド移動させる鍋移動機構を設けてあり、
前記炒め装置は、円筒軸が略前後に配向した円筒形状のドラムと、当該ドラムを前記円筒軸を回転軸として回転させる回転機構と、回転する前記ドラムを加熱する加熱機構とを有し、
前記鍋移動機構は、前記加熱調理装置の始端に設けられた台に載置された鍋を当該始端の台に隣接する加熱器へ移動し、鍋を各加熱器の稼働時間毎に始端から終端へ向かう方向へ移動させ、前記加熱調理装置の終端に設けられた台と隣接する加熱器から当該終端に設けられた台へ鍋を移動し、
前記加熱調理装置の始端に設けられた台は、載置される鍋に前記炒め装置にて炒めた食材を作業者が手作業にて投入するための第１作業台であり、
前記加熱調理装置の終端に設けられた台は、載置される鍋の内容物を作業者が手作業にて容器に盛り付けるための第２作業台であり、
各加熱器の前記稼働時間としての第１時間と、前記炒め装置が調理に要する第２時間と、前記鍋洗浄装置が洗浄に要する第３時間とは、［第１時間］＞［第２時間］＞［第３時間］、の大小関係を有し、
前記加熱調理装置と前記炒め装置と前記鍋洗浄装置は１つの厨房内に離間配置されており、前記鍋洗浄装置は前記厨房内において前記加熱調理装置の前記加熱レーンの末端に位置する前記第２作業台近くに配設され、前記炒め装置は前記厨房内において前記加熱調理装置の前記加熱レーンの始端に位置する前記第１作業台近くに配設されていることを特徴とする調理システム。
【請求項２】
各加熱器の稼働時間を前記炒め装置の稼働時間よりも長く設定し、
各加熱器の前記稼働時間は、前記加熱調理装置による加熱に必要な時間を、使用する加熱器の台数で均等に割った時間としたことを特徴とする請求項１に記載の調理システム。
【発明の詳細な説明】
【技術分野】
【０００１】
本発明は、具入り麺食品を調理するための調理システムに関するものである。
【背景技術】
【０００２】
従来より、飲食物を提供する店舗においては、具材を炒める炒め装置や麺を茹でる加熱装置や調理用具を洗浄する洗浄装置などからなる調理システムを厨房に配置している（たとえば、特許文献１参照。）。
【０００３】
この従来の調理システムでは、調理人が各装置をそれぞれ別個独立に使用して、調理を行うとともに、調理で使用した調理用具を洗浄するようにしている。
【先行技術文献】
【特許文献】
【０００４】
【特許文献１】特開２００３−２５９９２６号公報
【発明の概要】
【発明が解決しようとする課題】
【０００５】
ところが、上記従来の調理システムでは、各装置の稼働時間（鍋１個分の調理に要する時間や１個の鍋を洗浄するのに要する時間）がそれぞれ異なっているために、調理と洗浄とを順番に連続して行うことができなかった。
【０００６】
そのため、複数個の鍋を使用して調理した後に、調理で使用した複数個の鍋をまとめて洗浄するといった作業を行っており、作業に多大な無駄が生じてしまうばかりでなく、大量の鍋をストックしておかなければならず、そのために多大な収容スペースが厨房に必要となっていた。
【課題を解決するための手段】
【０００７】
そこで、請求項１に係る本発明では、具入り麺食品を調理するための調理システムにおいて、鍋で具と麺とを加熱調理するための加熱調理装置と、具を炒めるための炒め装置と、鍋を洗浄するための鍋洗浄装置とを有し、前記加熱調理装置は、複数台の加熱器の加熱面を並設して形成した加熱レーンを有するとともに、前記加熱レーンの始端と終端にそれぞれ加熱器の無い台が並設され、前記加熱レーン上で鍋を順にスライド移動させる鍋移動機構を設けてあり、前記炒め装置は、円筒軸が略前後に配向した円筒形状のドラムと、当該ドラムを前記円筒軸を回転軸として回転させる回転機構と、回転する前記ドラムを加熱する加熱機構とを有し、前記鍋移動機構は、前記加熱調理装置の始端に設けられた台に載置された鍋を当該始端の台に隣接する加熱器へ移動し、鍋を各加熱器の稼働時間毎に始端から終端へ向かう方向へ移動させ、前記加熱調理装置の終端に設けられた台と隣接する加熱器から当該終端に設けられた台へ鍋を移動し、前記加熱調理装置の始端に設けられた台は、載置される鍋に前記炒め装置にて炒めた食材を作業者が手作業にて投入するための第１作業台であり、前記加熱調理装置の終端に設けられた台は、載置される鍋の内容物を作業者が手作業にて容器に盛り付けるための第２作業台であり、各加熱器の前記稼働時間としての第１時間と、前記炒め装置が調理に要する第２時間と、前記鍋洗浄装置が洗浄に要する第３時間とは、［第１時間］＞［第２時間］＞［第３時間］、の大小関係を有し、前記加熱調理装置と前記炒め装置と前記鍋洗浄装置は１つの厨房内に離間配置されており、前記鍋洗浄装置は前記厨房内において前記加熱調理装置の前記加熱レーンの末端に位置する前記第２作業台近くに配設され、前記炒め装置は前記厨房内において前記加熱調理装置の前記加熱レーンの始端に位置する前記第１作業台近くに配設されていることにした。
【０００９】
また、請求項２に係る本発明では、前記請求項１に係る本発明において、各加熱器の稼働時間を前記炒め装置の稼働時間よりも長く設定し、各加熱器の前記稼働時間は、前記加熱調理装置による加熱に必要な時間を、使用する加熱器の台数で均等に割った時間とした。
【発明の効果】
【００１０】
そして、本発明では、以下に記載する効果を奏する。
【００１１】
すなわち、本発明では、具入り麺食品を調理するための調理システムにおいて、鍋で具と麺とを加熱調理するための加熱調理装置と、具を炒めるための炒め装置と、鍋を洗浄するための鍋洗浄装置とを有し、加熱調理装置は、複数台の加熱器を並設するとともに、前記複数の加熱器に鍋を順に移動させる鍋移動機構を設け、鍋移動機構で鍋を各加熱器の稼働時間毎に移動させ、しかも、各加熱器の稼働時間を前記炒め装置及び鍋洗浄装置の稼働時間よりも長く設定しているために、各装置を連続して使用することができるようになり、複数個の鍋を順番に連続して常に使い続けることができるので、円滑に調理を行うことができるとともに、大量の鍋をストックする必要がなく、厨房の省スペース化を図ることができる。
【００１２】
特に、並列する複数の加熱器の両端に調理台を並設した場合には、両端の調理台を利用して炒めた具と麺とを鍋に投入する準備作業や出来上がった具入り麺食品を皿に盛り付ける盛付作業を円滑に行うことができる。
【００１３】
また、稼働時間を使用する加熱器の台数に応じて変更可能とした場合には、調理する具入り麺食品の種類や調理人の人数などに応じて最適化を図ることができる。
【図面の簡単な説明】
【００１４】
【図１】本発明に係る調理システムを示す説明図。
【図２】加熱調理装置を示す平面図（ａ）、正面図（ｂ）、側面図（ｃ）。
【図３】同拡大平面断面図。
【図４】同拡大側面断面図。
【図５】炒め装置を示す平面図（ａ）、正面図（ｂ）、側面図（ｃ）。
【図６】同拡大正面図。
【図７】同拡大側面図。
【図８】同拡大平面図。
【図９】使用状態を示す拡大正面図（ａ）、側面図（ｂ）。
【図１０】鍋洗浄装置を示す平面図（ａ）、側面図（ｂ）、正面図（ｃ）。
【図１１】同拡大正面図。
【図１２】同拡大側面図。
【図１３】同拡大平面図。
【発明を実施するための形態】
【００１５】
以下に、本発明に係る調理システムの具体的な構成について図面を参照しながら説明する。
【００１６】
本発明に係る調理システムは、ちゃんぽんやラーメンなどの具入り麺食品を調理するのに適した調理システムであり、図１に示すように、鍋１で具と麺とを加熱調理するための加熱調理装置２と、具を炒めるための炒め装置３と、鍋１を洗浄するための鍋洗浄装置４とで構成している。
【００１７】
まず、加熱調理装置２の具体的な構成について説明すると、図２〜図４に示すように、加熱調理装置２は、横長矩形箱型状の調理装置本体５の上部に鍋１を長手方向に移動させるための鍋移動機構６を着脱自在に取付けている。
【００１８】
調理装置本体５は、複数台（ここでは、４台。）の同一構造の加熱器7〜10を並設するとともに、右側端部及び左側端部に調理台11,12を並設し、各加熱器7〜10及び調理台11,12の上面（作業面）を同一面としている。
【００１９】
各加熱器7〜10は、上面を加熱面とした電磁誘導加熱型の加熱機構13と、この加熱機構13を制御するための制御機構14とを有しており、それぞれ独立して制御機構14で加熱機構13を制御できるようになっている。
【００２０】
鍋移動機構６は、調理装置本体５の上面に前後一対の横長矩形板状のベース15,16を着脱自在に取付け、各ベース15,16の上部にレール17,18を介して前後一対の断面コ字状の移動体19,20を左右に伸延するレール17,18に沿って摺動自在に取付け、前後の移動体19,20の右端部同士を連結体21で連結して、前後の移動体19,20が一体となって左右に移動するようにしている。
【００２１】
また、鍋移動機構６は、前後の移動体19,20に前後一対の押圧体22,23を水平回動自在に軸支するとともに、移動体19,20と押圧体22,23との間に付勢スプリング24,25を介設している。この前後の押圧体22,23は、移動体19,20を左方向に移動させた際に鍋１の外周面に当接して、鍋１を左方向に押し出す機能を有している。なお、連結体21も、移動体19,20を左方向に移動させた際に鍋１の外周面に当接して、鍋１を左方向に押し出す機能を有している。
【００２２】
また、鍋移動機構６は、前側の移動体19において押圧体22の左側方に係止片26を取付けている。この係止片26は、移動体19,20を左方向に移動させた際に鍋１の外周面を係止して、鍋１が回転してしまうのを防止する回転防止手段としての機能を有している。
【００２３】
また、鍋移動機構６は、後側の移動体20の後側壁にラックギヤ27を取付ける一方、後側のベース16にケース28を取付け、ケース28に駆動モーター29を取付け、駆動モーター29の駆動軸30にピニオンギヤ31を取付けて、ピニオンギヤ31をラックギヤ27に噛合させている。
【００２４】
さらに、鍋移動機構６は、後側のベース16に制御機構32を取付け、この制御機構32で移動体19,20の移動を制御している。
【００２５】
すなわち、鍋移動機構６は、制御機構32によって駆動モーター29を定期的に駆動制御することによって、移動体19,20を加熱器7〜10の１台分の左右幅だけ左右に繰り返し往復運動させ、右端の調理台11の上部に載置した鍋１を１台目の加熱器７の加熱機構13の上部まで移動させ、１〜３台目の加熱器7,8,9の加熱機構13の上部に載置した鍋１をそれぞれ２〜４台目の加熱器8,9,10の加熱機構13の上部まで移動させ、４台目の加熱器10の加熱機構13の上部に載置した鍋１を左端の調理台12の上部まで移動させるようにしている。その際に、各加熱器7〜10の制御機構14は、調理する内容に応じて各加熱機構13を適宜制御するようにしている。
【００２６】
これにより、例えば、右端の調理台11に鍋１を載置するとともに鍋１に具や麺や汁を投入し、６０秒間隔で移動体19,20を繰り返し左右に往復運動させて各加熱器7〜10で異なる温度条件で加熱していき、左端の調理台12で丼に盛り付けることができる。
【００２７】
以上に説明したように、上記加熱調理装置２は、各加熱器7〜10の加熱面を同一面上に形成するとともに、並設した複数の加熱器7〜10に鍋１を順に移動させる鍋移動機構６を設けた構成となっているために、上記構成の加熱調理装置２では、鍋移動機構６で鍋１だけを移動させればよく、加熱調理装置２の小型化を図ることができ、それに伴って厨房の省スペース化を図ることができる。
【００２８】
また、上記加熱調理装置２は、加熱器7〜10の１台分の幅で往復運動して鍋１を移動させるように鍋移動機構６を構成しているために、上記構成の加熱調理装置２では、鍋移動機構６の移動範囲を少なくすることができ、より一層厨房の省スペース化を図ることができる。
【００２９】
また、上記加熱調理装置２は、鍋１の移動時に鍋１が回転するのを防止する回転防止手段を鍋移動機構６に設けた構成となっているために、上記構成の加熱調理装置２では、移動する鍋１の姿勢を常に所望の姿勢に保持することができ、加熱調理装置２の使い勝手を向上させることができる。
【００３０】
次に、炒め装置３の具体的な構成について説明すると、図５〜図９に示すように、炒め装置３は、ケーシング33にドラム34を収容するとともに、ケーシング33にドラム34を加熱するための加熱機構35とドラム34を回転させるための回転機構36とを収容し、さらに、ケーシング33にドラム34の開口を塞ぐカバー機構37を設けた構成となっている。
【００３１】
ケーシング33は、矩形箱型状の基台38の内部に制御機構39を収容するとともに、基台38の上面部に加熱機構35を配設して、基台38の上面にドラム34を載置するようにしている。
【００３２】
また、ケーシング33は、基台38の下面四隅に伸縮自在の脚体40を取付け、脚体40を伸長又は短縮させることで、基台38を水平状態や前傾状態（図９参照。）に保持できるようにしている。
【００３３】
さらに、ケーシング33は、基台38の上部にドラム34を覆うフード41を取付け、フード41の前方に形成した開口42からドラム34を着脱できるようにしている。
【００３４】
ドラム34は、前方に開口43を形成した円筒形状となっており、底にドラムギヤ49を取付け、ドラムギヤ49にドラムギヤ49よりも拡径した円板状のガイド板44を取付けるとともに、内部に食材を撹拌するための撹拌板45を取付けている。
【００３５】
加熱機構35は、基台38の上面部に電磁誘導加熱方式の加熱器46を取付け、この加熱器46で金属製のドラム34を加熱し、ドラム34の内部に投入した食材を炒めるようにしている。
【００３６】
回転機構36は、基台38の上面左右前端部に支持ローラ47,48を回動自在に取付けるとともに、基台38の上面右後部に駆動モータ50を取付け、駆動モータ50の回転軸51にガイド円板52を取付け、ガイド円板52の前方に駆動ギヤ53を一定の隙間（ガイド溝54）を介して取付けている。
【００３７】
そして、回転機構36は、支持ローラ47,48と駆動ギヤ53でドラム34を当接支持するとともに、駆動モータ50を駆動させて駆動ギヤ53を回転させることで駆動ギヤ53と噛合させたドラムギヤ49及びドラム34を回転させるようにしている。
【００３８】
また、回転機構36は、ドラム34の底のガイド板44をガイド溝54に挿入することで、ガイド板44がガイド円板52と駆動ギヤ53との間で前後の移動が規制され、これにより、基台38を前傾状態にしてもドラム34が基台38から前方に滑落してしまうのを防止することができる。
【００３９】
カバー機構37は、フード41の右側上部に支持軸55を取付け、支持軸55に開口カバー56を左右回動自在に取付けている。
【００４０】
また、カバー機構37は、開口カバー56にハンドル57を前後進退自在に取付け、ハンドル57に係止キー58を取付けており、この係止キー58をフード41に形成した係止孔59,60に係入することで、開口カバー56を開いた状態と閉じた状態とに開閉できるようにしている。
【００４１】
この開口カバー56は、水平状態又は前傾状態にしたドラム34の開口43から食材が溢れ出るのを阻止するためのもので、ドラム34の開口43の全体を覆うようにしてもよいが、ドラム34の下側で回転方向側（ここでは、正面視でドラム34を反時計回り（右側回転）に回転させているために、右側）だけを覆うようにしている。これは、ドラム34の回転に伴って食材がドラム34の内部で回転方向側に片寄って存在するため、ドラム34の下側で回転方向側だけを覆えば食材が溢れ出るのを阻止することができ、しかも、ドラム34の開口43から内部の食材を目視することができるからである。
【００４２】
炒め装置３は、以上に説明したように構成しており、回転機構36でドラム34を回転させるとともに、回転するドラム34を加熱機構35で加熱して、ドラム34の内部で食材を撹拌板45で撹拌しながら炒めるようにしている。
【００４３】
この炒め装置３は、ドラム34を加熱するための加熱機構35とドラム34を回転させるための回転機構36とを基台38に収容するとともに、基台38を水平状態又は前傾状態に保持するための脚体40を設け、ドラム34の開口43から食材が溢れ出るのを阻止する開口カバー56を設けた構成となっているために、上記構成の炒め装置３では、脚体40で基台38を水平状態又は前傾状態とすることによって、ドラム34を水平状態又は前傾状態にして食材を炒めることができる。これにより、炒め装置３では、炒め終わった食材をドラム34の内部から簡単に取出すことができるので、使い勝手を向上させることができるとともに、全ての食材をむらなく炒めることができる。なお、ドラム34を前傾状態とした場合には、開口カバー56を開くだけで回転するドラム34の開口43から炒め終わった食材を自動的に排出させることもできる。
【００４４】
また、上記炒め装置３は、ドラム34の下側で回転方向側だけに開口カバー56を設けた構成となっているために、上記構成の炒め装置３では、ドラム34の開口43から内部を視認しながら食材を炒めることができ、炒め装置３の使い勝手を向上させることができる。
【００４５】
さらに、上記炒め装置３は、ドラム34と回転機構36との間にドラム34が前方に滑落するのを防止する滑落防止手段（ガイド板44とガイド溝54）を設けた構成となっているために、上記構成の炒め装置３では、基台38とともにドラム34を前傾状態にして使用しても、誤ってドラム34が前方に滑落してしまうのを未然に防止することができ、炒め装置３の安全性を向上させることができる。
【００４６】
次に、鍋洗浄装置４の具体的な構成について説明すると、図１０〜図１３に示すように、鍋洗浄装置４は、ケーシング61の内部に、鍋１を伏せた状態で載置するための鍋載置台62と、鍋１に向けて洗浄液63を噴射するための洗浄液噴射機構64と、洗浄液63を補充するための洗浄液補充機構65と、これら洗浄液噴射機構64や洗浄液補充機構65を制御するための制御機構66とを収容している。
【００４７】
ケーシング61は、中空箱型状のケース本体67の後側上部にフード68を形成し、ケース本体67の前側上端部とフード68の前側部を開口するとともに、フード68の前側部に扉69を開閉自在に取付けている。
【００４８】
また、ケーシング61は、ケース本体67の内部に仕切壁70を取付けて、ケース本体67の内部を仕切壁70で前後に区画し、仕切壁70より後方側上部に洗浄液63を貯留するための貯留槽71を形成している。
【００４９】
鍋載置台62は、貯留槽71の開口部に左右一対の支持フレーム72,73を高さ調節可能に取付け、左右の支持フレーム72,73の上部に矩形枠状の枠フレーム74を取付け、枠フレーム74の上部に前後一対の門型の上部フレーム75,76を取付けるとともに、枠フレーム74の後側上部に左右一対のサイドフレーム77,78を取付けている。
【００５０】
そして、鍋載置台62は、支持フレーム72,73と枠フレーム74で鍋１を伏せた状態（上下反転させた状態）で保持するとともに、上部フレーム75,76とサイドフレーム77,78で鍋１の外方を覆うようにしている。
【００５１】
洗浄液噴射機構64は、ケーシング61の底部中央に貯留槽71に連通連結した循環ポンプ79を収容し、循環ポンプ79に上下に伸延する噴射ノズル80を連通連結し、噴射ノズル80の先端部を鍋載置台62の左右の支持フレーム72,73の間から上方へ向けて突出させている。
【００５２】
また、洗浄液噴射機構64は、ケーシング61の底部後方に排水口81を形成し、排水口81に貯留槽71の内部に収容したオーバーフロー管82を接続し、さらに、貯留槽71の内部に多孔板状の塵取り網83を水平に着脱可能に取付け、塵取り網83よりも上方にオーバーフロー管82の上端（吸入口）を位置させている。
【００５３】
そして、洗浄液噴射機構64は、貯留槽71の内部の洗浄液63を循環ポンプ79で循環させながら噴射ノズル80から鍋載置台62に伏せた状態で載置した鍋１の内面へ向けて噴射して洗浄液63で鍋１の内面を洗浄するとともに、余剰の洗浄液63をオーバーフロー管82から廃棄し、また、鍋１から剥がれ落ちた塵を塵取り網83で捕捉するようにしている。
【００５４】
洗浄液補充機構65は、ケーシング61の前側下部に吸水口84を形成し、吸水口84に上下に伸延する吸水管85の下端部を接続し、吸水管85の上端部に前後に伸延する下側吐出管86の前端部を接続し、下側吐出管86の後端部に上下に伸延する連結管87の下端部を接続し、連結管87の上端部に上側吐出管88を接続している。
【００５５】
また、洗浄液補充機構65は、吸水管85の中途部に開閉弁89を介設し、下側吐出管86の中途部に上方へ向けて噴射する下側噴射ノズル90,91を前後に間隔をあけて接続するとともに、上側吐出管88の中途部に下方へ向けて噴射する上側噴射ノズル92,93を前後に間隔をあけて接続している。
【００５６】
そして、洗浄液補充機構65は、吸水源から供給される新規の洗浄液63を下側噴射ノズル90,91及び上側噴射ノズル92,93から噴射し、鍋載置台62に伏せた状態で載置した鍋１の内面へ向けて下側噴射ノズル90,91から洗浄液63を噴射するとともに、鍋１の外面へ向けて上側噴射ノズル92,93から洗浄液63を噴射し、洗浄液63を貯留槽71に補充するようにしている。
【００５７】
制御機構66は、洗浄液噴射機構64の循環ポンプ79や洗浄液補充機構65の開閉弁89を制御するとともに、ケーシング61に設けた扉69の開閉状態を検出する開閉検出センサー94や貯留槽71に設けた洗浄液63の水位を検出する水位検出センサー95や貯留槽71に設けた洗浄液63を温めるヒーター96が接続されている。
【００５８】
そして、制御機構66では、鍋載置台62に鍋１が伏せられた状態で載置されて扉69が閉じられたことを開閉検出センサー94で検出すると、洗浄液噴射機構64の循環ポンプ79を駆動して洗浄液63を噴射ノズル80から鍋１の内面へ向けて噴射し、これにより、鍋１の内面の洗浄を行う。
【００５９】
また、制御機構66では、貯留槽71の水位が予め設定した水位よりも下がったことを水位検出センサー95で検出すると、洗浄液噴射機構64の循環ポンプ79の駆動を停止するとともに、洗浄液補充機構65の開閉弁89を予め設定した時間だけ開弁して新規の洗浄液63を下側噴射ノズル90,91及び上側噴射ノズル92,93から噴射し、これにより、鍋１の内面へ向けて下側噴射ノズル90,91から洗浄液63を噴射するとともに、鍋１の外面へ向けて上側噴射ノズル92,93から洗浄液63を噴射して、洗浄液63の補充を行う。
【００６０】
以上に説明したように、上記鍋洗浄装置４は、鍋１を伏せた状態で載置する鍋載置台62と、鍋載置台62に載置された鍋１の内面へ向けて洗浄液63を噴射する洗浄液噴射機構64とを有し、洗浄液噴射機構64は、洗浄液63を貯留する貯留槽71に循環ポンプ79を収容して洗浄液63を循環させて鍋１の洗浄を行うとともに、貯留槽71にオーバーフロー管82を配設して、洗浄済みの洗浄液63をオーバーフロー管82から排出するように構成しているために、上記構成の鍋洗浄装置４では、伏せた状態の鍋１の内面へ向けて洗浄液63を噴射することで鍋１の内面をむらなく洗浄することができる。また、上記構成の鍋洗浄装置４では、洗浄液63を循環して利用することで洗浄液63の使用量を少なくして鍋洗浄装置４のランニングコストを低減することができる。
【００６１】
また、上記鍋洗浄装置４は、貯留槽71に新規の洗浄液63を補充する洗浄液補充機構65を設け、洗浄液補充機構65は、鍋載置台62に載置された鍋１の内面及び外面へ向けて補充する新規の洗浄液63を噴射するように構成しているために、上記構成の鍋洗浄装置４では、鍋１の内面及び外面を新規の洗浄液63で良好に洗浄することができる。
【００６２】
さらに、上記鍋洗浄装置４は、貯留槽71の水位が所定水位以下となった場合に新規の洗浄液63を補充するように洗浄液補充機構65を構成しているために、上記構成の鍋洗浄装置４では、貯留槽71に貯留した洗浄液63で鍋１の内面を洗浄した後に続けて新規の洗浄液63で鍋１の内面及び外面をすすぐことができ、鍋１の全体を良好に洗浄することができる。
【００６３】
本発明に係る調理システムは、以上に説明した加熱調理装置２と炒め装置３と鍋洗浄装置４とで構成しており、以下に説明するようにして具入り麺食品を調理するようにしている。
【００６４】
まず、加熱調理装置２の鍋移動機構６による鍋１の移動を所定時間（たとえば、６０秒）毎に行うように設定するとともに、加熱器7〜10の加熱機構13による加熱温度をそれぞれ異なる温度（たとえば、100℃、60℃、80℃、40℃）に設定しておく。
【００６５】
そして、炒め装置３で所定時間（たとえば、４５秒）かけて炒めた具を鍋１に移すとともに、鍋１に麺及び汁を投入し、その鍋１を加熱調理装置２の調理台11の上部に載置する。
【００６６】
加熱調理装置２の調理台11の上部に載置された鍋１は、鍋移動機構６によって調理台11から１台目の加熱器７へと移動し、100℃に設定した１台目の加熱器７で麺及び汁が一気に加熱される。その後、鍋１は、鍋移動機構６によって１台目の加熱器７から２台目の加熱器８へと移動し、60℃に設定した２台目の加熱器８で加熱しながら麺をほぐしていく。その後、鍋１は、鍋移動機構６によって２台目の加熱器８から３台目の加熱器９へと移動し、80℃に設定した３台目の加熱器９で加熱しながら麺及び具を反転させる。その後、鍋１は、鍋移動機構６によって３台目の加熱器９から４台目の加熱器10へと移動し、40℃に設定した４台目の加熱器10で保温しながら麺を汁になじませる。その後、鍋１は、鍋移動機構６によって４台目の加熱器10から左端の調理台12へと移動し、調理台12の上部で丼に盛り付けられる。
【００６７】
その後、鍋１は、鍋洗浄装置４で所定時間（たとえば、４０秒）かけて洗浄され、再び調理に用いられる。
【００６８】
なお、連続して調理する場合には、加熱調理装置２の鍋移動機構６の移動間隔（すなわち、１個の鍋１に対する各加熱器7〜10の加熱時間（稼働時間））毎に、炒め装置３で具を炒めて鍋１に移すとともに調理台11に載置する準備作業と、調理台12で盛り付け終わった鍋１を鍋洗浄装置４で洗浄する洗浄作業とを繰返し行えばよく、各加熱器7〜10、調理台11,12、鍋洗浄装置４で使われる７個の鍋１を循環して利用することができる。
【００６９】
このように、具入り麺食品を調理するための上記調理システムでは、鍋１で具と麺とを加熱調理するための加熱調理装置２と、具を炒めるための炒め装置３と、鍋１を洗浄するための鍋洗浄装置４とで構成するとともに、加熱調理装置２は、複数台の加熱器7〜10を並設するとともに、複数の加熱器7〜10に鍋１を順に移動させる鍋移動機構６を設けた構成としている。
【００７０】
そして、上記調理システムでは、鍋移動機構６で鍋１を各加熱器7〜10の稼働時間（上記具体例では６０秒）毎に移動させている。この各加熱器7〜10の稼働時間（上記具体例では６０秒）は、炒め装置３の稼働時間（調理時間：上記具体例では４５秒）や鍋洗浄装置４の稼働時間（洗浄時間：上記具体例では４０秒）よりも長くなるように設定している。なお、各加熱器7〜10の稼働時間は、加熱調理装置２による加熱に必要な時間（上記具体例では、４分）を使用する加熱器7〜10の台数で均等に割った時間としており、各加熱器7〜10の稼働時間を使用する加熱器7〜10の台数に応じて変更するようにしている。
【００７１】
そのため、上記構成の調理システムでは、各装置を連続して使用することができるようになり、複数個の鍋１を順番に連続して常に使い続けることができるので、円滑に調理を行うことができるとともに、大量の鍋１をストックする必要がなく、厨房の省スペース化を図ることができる。
【００７２】
また、上記調理システムでは、並列する複数の加熱器7〜10の両端に調理台11,12を並設した構成となっている。
【００７３】
そのため、上記構成の調理システムでは、両端の調理台11,12を利用して炒めた具と麺とを鍋１に投入する準備作業や出来上がった具入り麺食品を皿に盛り付ける盛付作業を円滑に行うことができる。
【００７４】
さらに、上記調理システムでは、稼働時間を使用する加熱器7〜10の台数に応じて変更できるように構成している。
【００７５】
そのため、上記構成の調理システムでは、調理する具入り麺食品の種類や調理人の人数などに応じて最適化を図ることができる。
【符号の説明】
【００７６】
１  鍋                                  ２  加熱調理装置
３  炒め装置                            ４  鍋洗浄装置
５  調理装置本体                        ６  鍋移動機構
7〜10  加熱器                           11,12  調理台
13  加熱機構                            14  制御機構
15,16  ベース                           17,18  レール
19,20  移動体                           21  連結体
22,23  押圧体                           24,25  付勢スプリング
26  係止片                              27  ラックギヤ
28  ケース                              29  駆動モーター
30  駆動軸                              31  ピニオンギヤ
32  制御機構                            33  ケーシング
34  ドラム                              35  加熱機構
36  回転機構                            37  カバー機構
38  基台                                39  制御機構
40  脚体                                41  フード
42  開口                                43  開口
44  ガイド板                            45  撹拌板
46  加熱器                              47  支持ローラ
48  支持ローラ                          49  ドラムギヤ
50  駆動モータ                          51  回転軸
52  ガイド円板                          53  駆動ギヤ
54  ガイド溝                            55  支持軸
56  開口カバー                          57  ハンドル
58  係止キー                            59,60  係止孔
61  ケーシング                          62  鍋載置台
63  洗浄液                              64  洗浄液噴射機構
65  洗浄液補充機構                      66  制御機構
67  ケース本体                          68  フード
69  扉                                  70  仕切壁
71  貯留槽                              72,73  支持フレーム
74  枠フレーム                          75,76  上部フレーム
77,78  サイドフレーム                   79  循環ポンプ
80  噴射ノズル                          81  排水口
82  オーバーフロー管                    83  塵取り網
84  吸水口                              85  吸水管
86  下側吐出管                          87  連結管
88  上側吐出管                          89  開閉弁
90,91  下側噴射ノズル                   92,93  上側噴射ノズル
94  開閉検出センサー                    95  水位検出センサー
96  ヒーター
【図１】
0005908677.tif 000002
【図２】
0005908677.tif 000003
【図３】
0005908677.tif 000004
【図４】
0005908677.tif 000005
【図５】
0005908677.tif 000006
【図６】
0005908677.tif 000007
【図７】
0005908677.tif 000008
【図８】
0005908677.tif 000009
【図９】
0005908677.tif 000010
【図１０】
0005908677.tif 000011
【図１１】
0005908677.tif 000012
【図１２】
0005908677.tif 000013
【図１３】
0005908677.tif 000014